(57)【要約】【課題】ユーザの動きにより床が変位する遊戯装置用床機構及び、当該遊戯装置用床機構を使用した遊戯装置の提供。【解決手段】枠体１２０と床シート体１２４と、空気吸引送出手段１２６とを備える遊戯装置用床機構である。上記枠体１２０は、床面１１０上に立設された複数の支柱１２０ａと、隣接する複数の支柱同士を連結する連結部材１２０ｂとを備える。床シート体１２４は、枠体１２０の連結部材１２０ｂに気密状態で配置され、空気吸引送出手段１２６が、枠体１２０に備えた側面部材及び、床シート体１２４により形成される気密空間に空気を送出若しくは吸引する。そして、床シート体１２４が、枠体１２０に固定手段により固定されることで気密空間を形成することを特徴とする。【選択図】図１
2013069219.tif 000002
【特許請求の範囲】
【請求項１】
床面上に立設された複数の支柱と、隣接する当該複数の支柱同士を連結する連結部材とを備える枠体と、
前記枠体の前記連結部材に気密状態で配置される床シート体と、
前記枠体に備えた側面部材及び、前記床シート体により形成される気密空間に空気を送出若しくは吸引する空気吸引送出手段とを備え、
前記床シート体が、前記枠体に固定手段により固定されることで気密空間を形成することを特徴とする遊戯装置用床機構。
【請求項２】
前記床シート体が、水平シートの四隅及び辺部に起立させた起立シートを形成した箱状床シート体であり、
前記箱状床シート体の起立シートの隅部が、前記枠体内側隅部に前記固定手段により固定され、当該起立シートの辺部が、前記枠体内側辺部に前記固定手段により固定される、請求項１または２に記載の遊戯装置用床機構。
【請求項３】
前記床シート体の起立シートの隅部を前記枠体内側隅部に固定する固定手段が、アングル型クランプである、請求項２に記載の遊戯装置用床機構。
【請求項４】
上下に積層した前記箱状床シート体同士を筒状シートの上端及び下端に連結した２段床シートを備え、
前記枠体の前記連結部材が上下段に配置され、
前記２段床シートの各箱状床シートが、前記枠体に配置された下段連結部材及び、上段連結部材にそれぞれ気密状態で配置される、請求項２または３に記載の遊戯装置用床機構。
【請求項５】
前記床シートが透光性部材で構成された請求項１から４いずれか一項に記載の遊戯装置用床機構。
【請求項６】
前記床シート体が、２枚の透明シートを積層した袋状床シート体であり、
前記空気吸引送出手段が、前記透明シートで形成される袋状床シート体内の空間に、空気を送出する、請求項１から４いずれか一項に記載の遊戯装置用床機構。
【請求項７】
前記空気吸引送出手段により、前記床シート内の空気を吸引することで、当該床シート上部に凹部を形成し、
前記凹部にボールを配置した請求項１から５いずれか一項に記載の遊戯装置用床機構。
【請求項８】
前記床シート体下方に配置される、循環体を循環させるための循環機構と、
前記空気吸引送出手段により空気が送出された床シート体内に、前記循環機構により循環される循環体が循環する請求項１から７いずれか一項に記載の遊戯装置用床機構。
【請求項９】
前記循環体が、前記連結部材上に配置された支持部材と前記床シート内で循環し、
前記循環機構が、
前記床シート体内の空間から落下する前記循環体を受け取る受入側開口と、
前記受入側流路が受け取った前記循環体を前記床シート体内の気密空間に戻すための送出側流路と、
前記送出側流路を介して前記循環体を前記床シート体に送る循環装置とを備える、請求項８に記載の遊戯装置用床機構。
【請求項１０】
前記循環体が、前記支持部材上に配置されたボールであり、
前記循環機構に備えた送風機により、前記ボールが前記枠体内で循環する請求項９に記載の遊戯装置用床機構。
【請求項１１】
前記循環体が、前記枠体下面に配置されたボールであり、
前記循環機構に備えた送風機により、前記ボールが前記枠体内で循環する請求項８に記載の遊戯装置用床機構。
【請求項１２】
前記循環体が、水であり、
前記循環装置が、水中ポンプであり、
前記送出側流路の先端に設けたノズルから前記水を噴出させる請求項９に記載の遊戯装置用床機構。
【請求項１３】
前記床シート体が、内部に液体を液密に充填可能な水袋を備えた水袋付床シートである、請求項１から８いずれか一項に記載の遊戯装置用床機構。
【請求項１４】
前記床シート体周囲に、クッション材を備えた請求項１から１３いずれか一項に記載の遊戯装置用床機構。
【請求項１５】
請求項１から１４いずれか一項に記載の遊戯装置用床機構を複数備える遊戯装置用床機構であって、
前記各遊戯装置用床機構間を気密に連絡するパイプを備え、
共通の空気吸引送出手段により、前記各遊戯装置用床機構に空気を送出する遊戯装置用床機構。
【請求項１６】
請求項１から１５いずれか一項に記載の遊戯装置用床機構を使用した遊戯装置。
【請求項１７】
前記遊戯装置が、滑り台型遊戯装置であって、
前記連結部材が、前記支柱間を斜めに連結した傾斜連結部材であり、
前記床シート裏面に設けた複数の筒状シートと、
前記筒状シートに収容された引張棒
前記傾斜連結部材に配置された板部材に、前記引張棒が固定されることで、前記床シートに滑り台用凹凸が形成された、請求項１６に記載の遊戯装置。
【請求項１８】
請求項１に使用される床シートにフックを形成するためのコネクタであって、
フックを垂下する紐状部材を下面に備えた上部コネクタと、
前記上部コネクタに備える紐状部材を挟み込んだ状態で前記上部コネクタに嵌合する一対の下部コネクタとを備えたコネクタ。
【請求項１９】
前記遊戯装置がシーソ型である、請求項１６に記載の遊戯装置。
【発明の詳細な説明】
【技術分野】
【０００１】
本発明は、遊戯装置用床機構及び、当該遊戯装置用床機構を使用した遊戯装置に関する。
【背景技術】
【０００２】
床部が変位することのできる遊戯装置は、幼児等のユーザに人気があり、遊具メーカからの需要も高い。例えば下記特許文献１には、床部が傾斜することのできる遊戯装置が開示されている。
【先行技術文献】
【特許文献】
【０００３】
【特許文献１】特開２０１０−００５２７４号公報
【発明の概要】
【発明が解決しようとする課題】
【０００４】
遊戯装置の床は、遊戯装置本体を支持するために一般には変位等しないことが多い、変位するとしても上記特許文献に開示の遊具のように、床が単純に傾斜するだけであった。ユーザ（幼児等年少のユーザをいう以下同じ）にとって、遊戯装置の床は最も頻繁に接触する場所である。従って、複雑な動きをする床に対して、ユーザはかなり興味をひかれることになる。【０００５】
しかしながら、上記従来技術に記載された床の傾斜等の動きをクランクのみで構成するのは機械設計が複雑になってしまう。従って遊具メーカは通常は遊戯装置の床を動かないように設計することが多い。一方、上記のように動く床を備えた遊戯装置はユーザに人気があるため、単純な構成で動く床は、遊具メーカからも要請されていた。本発明の目的は、単純な構成で様々な動きをする遊戯装置用床機構及び、当該遊戯装置用床機構を使用した遊戯装置を提供することにある。
【課題を解決するための手段】
【０００６】
上記課題を解決するための本発明は、枠体と床シート体と、空気吸引送出手段とを備える遊戯装置用床機構である。上記枠体は、床面上に立設された複数の支柱と、隣接する複数の支柱同士を連結する連結部材とを備える。床シート体は、枠体の連結部材に気密状態で配置され、空気吸引送出手段が、枠体に備えた側面部材及び、床シート体により形成される気密空間に空気を送出若しくは吸引する。そして、床シート体が、枠体に固定手段により固定されることで気密空間を形成することを特徴とする。【０００７】
上記の構成であれば、空気送出手段により空気が送出されることで、上記床シート体が膨らむ。ユーザが上記床シート体上をジャンプ等することで、床シートが上下に変位することになる。上記のように床が上下に変動することで、ユーザの興味を長く持続することが可能な遊戯装置用床機構を構成することが可能となる。
上記の構成において、床シート体が、水平シートの四隅及び辺部に起立させた起立シートを形成した箱状床シート体であり、箱状床シート体の起立シートの隅部が、枠体内側隅部に固定手段により固定され、起立シートの辺部が、枠体内側辺部に固定手段により固定されることが望ましい。水平シートの四隅及び辺部を起立させた箱状床シートであると、箱状床シートの隅部（外側の隅をいう。）を枠体の内側隅部に隙間なく固定させることが出来る。従って、上記枠体に気密空間を簡単に形成出来る。床シート体の起立シートの隅部を枠体内側隅部に固定する固定手段が、アングル型クランプであると、上記床シートの隅部と枠体内側隅部とを更に隙間なく固定させることが可能となる。【０００８】
上記の構成において、上下に積層した箱状床シート体同士を筒状シートの上端及び下端に連結した２段床シートを備えることが望ましい。そして、枠体の連結部材を上下段に配置し、２段床シートの各箱状床シートが、枠体に配置された下段連結部材及び、上段連結部材にそれぞれ気密状態で配置される構成が採用できる。筒状シートの上端及び下端に箱状シートが連結されることで、箱状シートの内、上記筒状シートの上端に連結した部分は、空気が充填されると膨張が規制される。したがって、箱状シートに凹凸を形成させることが可能となる。【０００９】
床シートは透光性部材で構成されることが望ましい。さらに、床シート体が、２枚の透明シートを積層した袋状床シート体であり、空気吸引送出手段が、透明シートで形成される袋状床シート体内の空間に空気を送出することが望ましい。更に、上記の構成において、空気吸引送出手段により、床シート内の空気を吸引することで、床シート上部に凹部を形成する。そして、上記凹部にボールを配置する構成を採用することが出来る。【００１０】
上記の構成において、循環体を循環させるための循環機構を床シート体下方に配置する。そして、空気吸引送出手段により空気が送出された床シート体内に、循環機構により循環される循環体が循環することが望ましい。上記の構成であれば、空気送出手段により空気が送出されることで、上記床シート体が膨らむ。更に、循環機構により、循環体が床シート体内を循環する。循環体の循環を眺めながら、ユーザが上記床シート体上をジャンプ等することで、循環体が循環しながら、床シートが上下に変位することになる。上記のように床が上下に変動することで、ユーザの興味を長く持続することが可能な遊戯装置用床機構を構成することが可能となる。【００１１】
上記の構成において、連結部材上に配置された支持部材と床シート内で循環体が循環することが望ましい。そして、循環機構が、受入側開口と送出側流路と、循環装置を備えることが望ましい。受入側開口は、床シート体内の空間から落下する循環体を受け取り、送出側流路は、受入側流路が受け取った循環体を床シート体内の気密空間に戻す。循環装置は、送出側流路を介して循環体を床シート体に送る。【００１２】
上記の構成であると、例えば、床シート支持体と床シートに形成される気密空間内に空気を送出することで、床シート体が膨らむ。ユーザが循環体の循環を眺めながら、上記床シート体上をジャンプ等することで、循環体が循環しながら、床シートが上下に変位することになる。上記のように床が上下に変動することで、ユーザの興味を長く持続することが可能な遊戯装置用床機構を構成することが可能となる。【００１３】
上記の構成において、循環体が、支持部材上に配置されたボールであり、循環機構に備えた送風機により、ボールが枠体内で循環する構成が採用できる。更に、上記の構成において、循環体が、枠体下面に配置されたボールであり、循環機構に備えた送風機により、ボールが枠体内で循環する構成が採用できる。枠体に側面部材を設け、外部から空気送出手段により上記気密空間に空気を送出すると、当該気密空間内部はほとんど無風状態である。従って、送風機の風によりボール等を簡単に循環させることが可能となる。更に、循環体として、ボールを床シート体に配置し、循環機構に備えたブロアにより、ボールが床シート体内で循環する構成を採用することもできる。床シート内に空気を送出する空気送出手段により、ボールが前記送出側流路を介して床シート体へ送られる構成を採用してもよい。【００１４】
上記の構成において、循環体が、水であり、循環装置が、水中ポンプであり、送出側流路の先端に設けたノズルから水を噴出させる構成が採用できる。送出側流路の先端に設け
たノズルから水を噴出させることで、床シート内に噴水を発生させることが可能となる。
上記の構成において、内部に液体を液密に充填可能な水袋を備えた水袋付床シートである床シート体を用いる構成が採用できる。更に、床シート体周囲に、クッション材を備える構成が採用できる。ユーザが水袋付床シートを踏むと水袋内の液体が押し出される程度の空気量を当該水袋付床シート内に送出するように、空気送出手段を調節することもできる。【００１５】
上記構成の遊戯装置用床機構を複数備える遊戯装置用床機構を構成することもできる。各遊戯装置用床機構間を気密に連絡するパイプを備え、共通の空気吸引送出手段により、各遊戯装置用床機構に空気を送出する構成が採用できる。更に、上記の構成の遊戯装置用床機構を使用した遊戯装置を構成することも可能である。例えば、シーソ型の遊戯装置を構成することもできる。【００１６】
滑り台型遊戯装置を構成することもできる。連結部材が、支柱間を斜めに連結した傾斜連結部材であり、床シート裏面に設けた複数の筒状シートと、筒状シートに収容された引張棒と、傾斜連結部材に配置された板部材に、引張棒が固定されることで、床シートに滑り台用凹凸が形成する。
上記構成の遊戯装置用床機構に使用される床シートにフックを形成するためのコネクタを構成することもできる。上記コネクタは上部コネクタと一対の下部コネクタと備える。上部コネクタは、フックを垂下する紐状部材を下面に備え、一対の下部コネクタは、上部コネクタに備える紐状部材を挟み込んだ状態で上部コネクタに嵌合する。
【発明の効果】
【００１７】
本発明は、本発明は、枠体、床シート支持部材、床シート体、空気送出手段とを備える遊戯装置用床機構である。上記床シート支持部材は、上記枠体上部に配置され、上記床シート体は、床シート支持部材上に気密状態で支持される。そして、空気送出手段は、床シート体に形成された気密空間に空気を送出することを特徴とする。更に、循環体を循環させるための循環機構が、床シート体下方に配置される。そして、空気送出手段により空気が送出された床シート体内に、循環機構により循環される循環体が循環することを特徴とする。【００１８】
上記の構成であれば、空気送出手段により空気が送出されることで、上記床シート体が膨らむ。ユーザが上記床シート体上をジャンプ等することで、床シートが上下に変位することになる。上記のように床が上下に変動することで、ユーザの興味を長く持続することが可能な遊戯装置用床機構を構成することが可能となる。
【図面の簡単な説明】
【００１９】
【図１】本発明の実施形態に係る遊戯装置用床機構の全体構成を示す概念図である。
【図２】本発明の実施形態に係る遊戯装置用床機構の全体構成を示す概念図である。
【図３】本発明の実施形態に係る遊戯装置用床機構の全体構成を示す概念図である。
【図４】本発明の実施形態に係る遊戯装置用床機構に備える床シートを示す概念図である。
【図５】本発明の実施形態に係る遊戯装置用床機構の全体構成を示す概念図である。
【図６】本発明の実施形態に係る遊戯装置用床機構の全体構成を示す概念図である。
【図７】本発明の実施形態に係る遊戯装置用床機構の循環機構を示す概念図である。
【図８】本発明の実施形態に係る遊戯装置用床機構の循環機構を示す概念図である。
【図９】本発明の実施形態に係る遊戯装置用床機構の全体構成を示す概念図である。
【図１０】本発明の実施形態に係る遊戯装置用床機構の全体構成を示す概念図である。
【図１１】本発明の実施形態に係る遊戯装置用床機構に備える床シートを示す概念図である。
【図１２】本発明の実施形態に係る遊戯装置用床機構の全体構成を示す概念図である。
【図１３】本発明の実施形態に係る遊戯装置用床機構の全体構成を示す概念図である。
【図１４】本発明の実施形態に係る遊戯装置用床機構の全体構成を示す概念図である。
【図１５】本発明の実施形態に係る遊戯装置用床機構の循環装置を示す概念図である。
【図１６】本発明の実施形態に係る遊戯装置用床機構に備える床シートを示す概念図である。
【図１７】本発明の実施形態に係る遊戯装置用床機構を使用した遊戯装置の例を示す概念図である。
【図１８】本発明の実施形態に係る遊戯装置用床機構を使用した遊戯装置の例を示す概念図である。
【図１９】本発明の実施形態に係る遊戯装置用床機構を使用した遊戯装置の例を示す概念図である。
【図２０】本発明の実施形態に係る遊戯装置用床機構を使用した遊戯装置の例を示す概念図である。
【図２１】本発明の実施形態に係る遊戯装置用床機構に使用するコネクタの例を示す概念図である。
【図２２】本発明の実施形態に係る遊戯装置用床機構に使用する弁の例を示す概念図である。
【図２３】本発明の実施形態に係る遊戯装置用床機構を使用した遊戯装置の具体的実施形態を示す図である。
【図２４】本発明の実施形態に係る遊戯装置用床機構を使用した遊戯装置の具体的実施形態を示す図である。
【図２５】本発明の実施形態に係る遊戯装置用床機構を使用した遊戯装置の具体的実施形態を示す図である。
【図２６】本発明の実施形態に係る遊戯装置用床機構を使用した遊戯装置の具体的実施形態を示す図である。
【発明を実施するための形態】
【００２０】
（実施の形態１）
以下に、本発明の遊戯装置用床機構１００について図面を参照して説明する。図１、図２及び図３は、本実施例の遊戯装置用床機構１００の全体構成を示す概略模式図である。ただし、本発明に直接には関係しない各部の詳細は省略している。
まず、床面１１０上に枠体１２０を配置する。本実施例では矩形枠を上記床面１１０上に配置した。すなわち、複数の支柱１２０ａを準備し、上記矩形枠の四隅となる部分に各支柱１２０ａを立設させる。隣接する各柱の上部同士を連結部材１２０ｂで水平に連結することで、図１（Ａ）及び、図１（Ｂ）に示す矩形枠体１２０を形成する。更に、上記四隅の各支柱１２０ａの内、隣接する各支柱１２０ａ間に一または複数の支柱１２０ａ（辺部分）を立設させる構成を採用してもよい。上記辺部分の各支柱１２０ａの内、対向する各支柱１２０ａの上部同士を連結部材１２０ｂで水平に連結することで、矩形枠体１２０を形成することになる。そして、上記矩形枠体１２０上部に後述の床シート１２４を支持する床シート支持部材１２２を配置することで、床面１１０上に矩形枠体１２０が形成される。なお、連結部材１２０ｂ上に直接床シート１２４を配置してもよい。
【００２１】
そして、上記枠体１２０に床シート１２４を気密状態で支持することになる。例えば、上記床シート１２４を支持する床シート支持部材１２２を板部材で形成し、上記枠体１２
０上に、床面に水平に上記床シート支持部材１２２を固定する。上記床シート支持部材１２２には、所定の箇所に孔が形成される。そして、当該床シート支持部材１２２の周囲に上記床シート１２４を気密状態で支持する構成を採用する。本実施例では、図２（Ａ）に示すように、板部材（上記床シート支持部材１２２に相当する）上に、上記床シート１２４を張り、固定部材１２８を用いて、当該床シート１２４の周囲を気密状態に固定する構成が採用できる。若しくは、図２（Ｂ）に示すように、板部材周縁に壁部１２９を設け、当該壁部１２９に上記床シート１２４を気密状態で固定させてもよい。もちろん、枠体１２０側面には側面部材が設けられ、枠体１２０、側面部材、床シート１２４により気密空間が形成されることになる。上記固定部材１２８若しくは壁部１２９により気密状態に支持された床シート１２４に外部から空気を送出することで、床シート１２４が袋状に膨らむことになる。本実施例では、正方形状の床シート１２４を使用した。なお、上記床シートが本発明の床シート体に相当する。なお、床シート支持部材１２２を配置することなく、連結部材１２０ｂ上に床シート１２４を配置してもよい。
【００２２】
更に、上記床シート１２４内に空気を送出するブロア１２６を例とする空気送出手段が、上記枠体１２０に備えられることになる。本実施例では、枠体１２０外部にブロア１２６を固定した。そして、上記ブロア１２６から送出される空気が上記床シート１２４に到達するための小孔が上記床シート支持部材１２２に設けられる。ブロア１２６に備えた空気送出口と上記小孔を空気流路で連結しも構わない。上記のように、床シート１２４を形成することで、遊戯装置用床機構１００が構成される。
【００２３】
上記床シート１２４と床シート支持部材１２２が形成する空間に、水等の液体を浸し、更に、当該水面に複数の小ボールを浮かべる構成を採用してもよい。なお、本実施例では上記床シート１２４は透光性の素材を採用した。上記のように構成することで、ブロア１２６により、上記床シート１２４と床シート支持部材１２２が形成する空間に空気を送出することで、当該床シート１２４が膨らむ。上記のように、床シート１２４は透光性素材で形成されているので、水に浮かんだ小ボールを視認しながら、空気が送入されて膨らんだ床シート上をユーザが飛び跳ねることができる。
【００２４】
更に、袋状に形成した透明シート内に水等の液体を注入した水袋を上記床シート１２４内に挿入する構成を採用してもよい。このとき、上記ブロア１２６の空気送出量を調節して、上記床シート１２４をユーザが踏むと上記水袋に接触する程度に、床シート１２４内の空気量を保つように構成する。上記のように構成した遊戯装置用床機構であると、水遊びをしているかのような感覚をユーザに与えることが可能となる。
【００２５】
更に、図２（Ａ）に示すように、上記床シート１２４の縁部を落下防止部材１３０で囲む構成を採用してもよい。例えば、上記床シート１２４の素材と同じ素材により、複数の円筒を形成する。そして、上記各円筒を矩形（本実施例では正方形状）に配置し、隣接する円筒を溶着等により連結することで、楕円輪状の落下防止部材１３０を形成する。上記のように形成した落下防止部材１３０により、上記床シート１２４を囲むことで、落下防止部材１３０を備えた遊戯装置用床機構１００が形成される。もちろん、上記落下防止部材１３０を形成するシートにも上記ブロア１２６からの空気が送入されるための小孔が設けられ、当該小孔を介して、ブロア１２６からの空気が送入されることになる。なお、上記落下防止部材１３０はウレタン等のような弾性素材で形成しても構わない。上記落下防止部材１３０が本発明のクッション材に相当する。
【００２６】
または、図３に示すように、上記床シート１２４を袋状に張り合わせ、当該袋状床シート１２４内部に空間を形成する構成を採用することもできる。もちろん、上記袋状床シート１２４には、ブロア１２６からの空気を送入するための小孔を形成することになる。なお、積層させた２枚のシートの縁部を固定し、当該両シート間に空気を送入することによ
り上記袋状床シート１２４を形成しても構わない。すなわち、空気を送入することで、袋状に膨らめばよく、上記袋状床シート１２４の縁部を接合しても構わないし、固定しているだけでも構わない。
【００２７】
上記袋状床シート１２４を採用する際には、上記床シート支持部材１２２は、弾性部材で形成することが望ましい。袋状床シート１２４が下方に膨らむことを防止するためである。本実施例では上記床シート支持部材１２２を図３（Ｂ）に示すように、ネット部材１２２aで形成した。
すなわち、上記のように構成した枠体１２０上部に袋状床シート１２４を支持するネット部材１２２aを配置する。例えば、ネット部材１２２aの四隅及び、辺部分を上記矩形枠体１２０にロープその他の部材で連結することになる。本実施例では上記ネット部材１２２aが床シート支持部材１２２となる。なお、上記枠体１２０の形状は任意であり、上記
ネットを連結可能であれば、上面視円形状、上面視楕円形状であっても構わない。
【００２８】
上記のように構成した枠体１２０のネット部材１２２aに上記袋状床シート１２４を配
置することになる。もちろん、上記袋状床シート１２４に空気を送入するためのブロア１２６が、上記枠体１２０のいずれかの位置に設けられることになる。
更に、上記袋状床シート１２４の縁部を、図２（Ａ）に示した落下防止部材１３０で囲む構成を採用してもよい。例えば、上記袋状床シート１２４の素材と同じ素材により、複数の円筒を形成する。そして、上記各円筒を矩形（本実施例では正方形状）に配置し、隣接する円筒を溶着等により連結することで、楕円輪状の落下防止部材１３０を形成する。上記のように形成した落下防止部材１３０により、上記袋状床シート１２４を囲むことで、落下防止部材１３０を備えた遊戯装置用床機構１００が形成される。もちろん、上記落下防止部材１３０を形成するシートにも上記ブロアからの空気が送入されるための小孔が設けられ、当該小孔を介して、ブロア１２６からの空気が送入されることになる。なお、上記落下防止部材１３０はウレタン等のような弾性素材で形成しても構わない。上記支柱にアンカを打ち込み、支柱の上下動を防止する構成を採用しても構わない。
【００２９】
弾性率の異なる２枚のシートを積層させて上記床シート１２４を形成することもできる。ここで、弾性率とは、ひずみと応力との比例係数であり、ひずみのしにくさを示す物性値である。弾性率の大きい、すなわち応力に対してひずみの小さい材料は「相対的に固い」と表現され、弾性率の小さい材料は「相対的に柔らかい」と表現される。すなわち、弾性率が大きいほど変形しにくい。上記弾性率の異なるシートの内、弾性率の大きいシートを外側、すなわち上側にして、弾性率の小さいシートを内側、すなわち下側にして、上記２枚のシートを積層することにより床シート１２４を形成することになる。弾性率の大きいシートにより弾性率の小さいシートが保護されているので、ブロアからの空気が大量に送入されたとしても、床シート１２４の変形を小さくすることができる。
【００３０】
上記構成の遊戯装置用床機構１００を複数備える構成を採用することもできる。その際、上記各床シート１２４及び枠体１２０が形成する気密空間同士を気密に連結させると、空気送出手段を１台設置すれば、全ての床シート１２４に空気を送出させることが可能となる。
【００３１】
（実施の形態２）
実施の形態１では、床シート支持部材１２２に固定部材若しくは、壁部１２９を配置し、当該壁部１２９等と床シート１２４により形成された空間に空気を送入する構成を採用した。更に、上記床シート１２４を袋状に張り合わせ、当該袋状床シート１２４内部に空間を形成する構成を採用した。本実施例では、上記床シート１２４と枠体１２０との固定方法について図４を参照して更に詳細に述べる。
【００３２】
まず図４に示すような上方が開口された箱状床シート１４４を形成する。例えば、本実施例では、水平シートの縁部を起たせるようにして箱状床シート１４４を形成することが出来る。上記水平シートの四隅及び、辺部を全て起たせるように加工することになる。上記のように起立した部分を起立シート１４４ａと称する。後述のように、上記起立シート１４４ａを上記枠体１２０の隅部に挟むことで、気密空間を形成することになる。したがって、起立シート１４４ａの四隅が上記枠体１２０の四隅に挟まるように、上記箱状床シート１４４の大きさが調整される。
【００３３】
水平シートの縁部が起立状態であればよく、上記水平シートの縁部に帯状シートを溶着して起立シート１４４ａとすることで箱状床シート１４４を構成しても構わない。更に、上記水平シートの端部から離間して上記起立シート１４４ａを形成しても構わない。後述のように、上記箱状床シート１４４外側隅部が、枠体１２０の内側隅部に挟み込まれる。従って、図４（Ａ）に示すように、水平シートの四隅から離間させて、上記起立シート１４４ａを形成させても構わない。例えば、枠体１２０を構成する支柱１２０ａの外径を被覆するだけ離間させることが望ましい。上記支柱１２０ａを被覆する箇所を切り取ってもよい。
【００３４】
上記のように構成した箱状床シート１４４を上記枠体１２０の内側上部隅部に挟むことになる。例えば本実施例では、図４（Ｂ）及び、図４（Ｄ）に示すように、上記枠体１２０内側隅部に固定可能な複数のアングル型クランプ１４５を形成する。そして、上記箱状床シート１４４の起立シート１４４ａを形成した面を下側に向けた状態で、上記アングル型クランプ１４５と、上記枠体１２０内側隅部との間に上記箱状床シート１４４の起立シート１４４ａを挟む。このとき、上記箱状床シート１４４の上記起立シート１４４ａ内側隅部が、上記枠体１２０内側隅部に接触することが望ましい。もちろん、箱状床シート１４４の辺部分はクランプにより挟みこまれる。辺部分のみをクランプで挟み、四隅に形成された隙間を詰める構成を採用しても構わない。
【００３５】
上記構成では、上面視矩形状の枠体１２０に箱状床シート１４４を固定する構成を説明したが、上記枠体１２０は矩形状以外の形状であっても構わない。例えば、上面視三角形状、上面視五角形状等様々な形状の枠体１２０が考えられる。上記枠体１２０の形状に対応した位置に上記起立シート１４４ａを水平シート上に形成することで、箱状床シート１４４を構成することになる。更に、上記形状の枠体１２０内側隅部に対応する角度を有するアングル型クランプ１４５により、上記箱状床シート１４４が上記形状の枠体１２０内側隅部に固定されることになる。上記のように、箱状床シート１４４を枠体１２０内側隅部に固定することで、当該箱状床シート１４４、側面部材により気密空間が形成されることになる。なお、箱状床シート１４４の内側隅部を枠体１２０外側隅部に固定することにより、気密空間を形成することもできる。
【００３６】
上記のように構成した気密空間に底面を設けることもできる。例えば、図５に示すように、枠体１２０下面に底面部材１４６を敷き、当該底面部材１４６を枠体１２０に固定する構成を採用することが出来る。落下防止のために、上記枠体上部にネット等の落下防止シート１６０を張る構成を採用しても構わない。
【００３７】
（実施の形態３）
実施の形態１では、床シート支持部材１２２に固定部材若しくは、壁部１２９を配置し、当該壁部１２９等と床シートにより形成された空間に空気を送入する構成を採用した。更に、上記床シート１２４を袋状に張り合わせ、当該袋状床シート１２４内部に空間を形成する構成を採用した。本実施例では、床シート１２４を利用した遊戯装置用床機構１００について上記図１から図５及び図６、図７を参照して更に説明する。床シート１２４を配置する枠体１２０の構成については実施の形態１と同じであるので、図示説明を省略する。
【００３８】
図６（Ａ）に示すように、実施の形態１で説明した枠体１２０上に板部材（本発明の床シート支持部材１２２に相当する）を配置し、側面部材を用いて当該枠体１２０側面（上記枠体１２０の四側面をいう）を気密に固定する。もちろん、上記床シート支持部材１２２上には床シートが張られ、ブロア１２６等の空気送出手段により、当該床シート１２４に空気が送出されることになる。すなわち、上記枠体１２０、側面部材及び、床シート１２４が形成する気密空間に上記ブロア１２６により空気が送出されることになる。
【００３９】
本実施例では、上記床シートと上記床シート支持部材１２２が形成する空間に複数のボールを配置する。更に、上記床シート支持部材１２２下方にはボール循環ブロア１２６ａが配置され、上記床シート中央へ空気が送出される。そして、上記ボール循環ブロア１２６ａによる空気の送出により、上記複数のボールが循環されることになる。すなわち、上記ボールが中央付近に近寄ると、上記循環ブロア１２６ａからの空気の送出により、当該ボールが床シート内を循環することになる。もちろん、上記床シート及び、床シート支持部材１２２には、上記循環ブロア１２６ａからの空気流を受け入れる孔が形成されることは言うまでもない。更に、上記床シート支持部材を中央に向かって下り傾斜になるように構成すると、床シート１２４内のボールが、床シート１２４中央に集まり易くなる。例えば、上記床シート支持部材１２２をネットで形成することで簡単に上記傾斜を構成することができる。
【００４０】
若しくは、上記２枚のシートにより床シートを形成した袋状床シートであれば、上記袋状床シート内に、複数のボールを配置する。この場合も、上記のように、床シート支持部材下方に配置されたボール循環ブロア１２６ａの空気流により、上記複数のボールが循環することになる。もちろん、上記袋状床シート及び、床シート支持部材１２２には、上記ボール循環ブロアからの空気流を受け入れる孔が形成されることは言うまでもない。
【００４１】
図７（Ａ）に示すようなボール循環機構２００を用いて、上記床シート１２４内のボール２５０を循環乱舞させる構成を採用しても構わない。すなわち、本実施例のボール循環機構２００はブロア１２６等の空気送出装置と、流路を備える。上記流路は、上記ブロア１２６の空気送出口から送出される空気の流れを直接受ける空気送出口側流路２２０と、床シート１２４内のボール２５０を受け取るボール受入側流路２３０と、当該ボール受入側流路２３０に受け入れたボール２５０を上記床シート１２４内に排出するボール送出側流路２４０を備える。
【００４２】
もちろん、上記流路の内、少なくともボール受入側流路２３０及びボール送出側流路２４０は、床シート１２４に循環乱舞させたいボール２５０が通過可能な内径を備えている必要がある。上記各流路に空気送出側流路２２０からの空気の流れが通過可能であればよく、各流路が相互に連通している必要はない。すなわち、所定間隔あけた状態で、各流路を配置する構成を採用しても構わない。
【００４３】
本実施例では、ブロア１２６から送出される空気送出側流路２２０と、ボール送出側流路２４０を直線状に連結させ、当該直線状流路に小流路をボール受入側流路２３０として連接させた。更に、空気送出側流路２２０とボール送出側流路２４０とは連接させずに、上記空気送出側流路２２０の出口側開口径が小さくなるように絞った状態で、当該空気送出側流路２２０の出口にボール送出側流路２４０の入口を隣接させた。空気送出側流路２２０の出口側開口径を小さくすることで、ブロア１２６からの空気の勢いを増加させる。そして、空気送出側流路２２０の出口側にボール送出側流路２４０の入口側を隣接させることで、ブロア１２６からの空気の流量を増大させることができる。上記のようにブロア１２６に空気送出側流路２２０、ボール送出側流路２４０、ボール受入側流路２３０を設けることで、ボール循環機構２００を構成した。なお、上記ボール循環機構２００に備えるブロア１２６の他に、床シート１２４に空気を送出するブロア１２６が必要なのはいうまでもない。
【００４４】
上記のように構成したボール循環機構２００を上記床シート１２４下方に配置する。本実施例では図７（Ｂ）に示すように、床シート１２４と側面部材が形成する気密空間内に、上記ボール循環機構２００を配置した。このとき、上記ボール循環機構２００のボール受入側流路２３０入口を上記床シート１２４の略中央付近に配置する。そして、上記ボール循環機構２００のボール送出側流路２４０出口を上記床シート１２４の端部に配置する構成を採用した。ボール２５０は床シート１２４中央に集まり易い。従って、上記床シート１２４中央にボール受入側流路２３０入口を配置することで、床シート１２４中央に集まったボール２５０を効率的に受け入れることが出来る。更に、ボール送出側流路２４０出口を床シート１２４端部に配置することで、上記ボール送出側流路２４０からボール２５０を勢いよく飛ばすことができる。例えば、図７（Ｂ）に示した矢印のように、床シート１２４の一方端から他方端へボール２５０を飛ばすことが出来る。ボール送出側流路２４０出口、及びボール受入側流路２３０入口を上記のように配置することにより、本発明の遊戯装置用床機構１００が構成される。
【００４５】
（実施の形態４）
実施の形態１では、床シート支持部材１２２に固定部材若しくは、壁部１２９を配置し、当該壁部１２９等と床シートにより形成された空間に空気を送入する構成を採用した。更に、上記床シート１２４を袋状に張り合わせ、当該袋状床シート１２４内部に空間を形成する構成を採用した。本実施例では、床シート１２４内に噴水を発生させることが可能な遊戯装置用床機構１００について上記図１から図５及び、図８、図９を参照して更に説明する。噴水機構を使用する以外の構成については実施の形態１及び実施の形態２の遊戯装置用床シートと同じであるので、図示説明を省略する。
【００４６】
図８（Ａ）に示すような噴水循環機構３００を用いて、上記床シート１２４内の水を循環させながら噴水を発生させる。すなわち本発明の噴水循環機構３００は、水中ポンプ３２０等の水循環装置と、流路と、タンク３１０とを備える。上記水中ポンプ３２０は、タンク３１０内に配置される。そして、上記流路には、タンク３１０内の水を床シート１２４内に導く送出側流路３４０と、当該送出側流路３４０により、床シート１２４内に導かれた水等の液体をタンク３１０内に戻すための受入側流路３３０とが備えられる。本実施例では、蓋付の箱型タンク３１０に孔を開け、一方の孔に上記送出側流路３４０を挿入固定する。そして、タンク３１０に開けた他方の孔に上記受入側流路３３０を挿入固定した。更に、上記送出側流路３４０のタンク側開放端（入口とする）を水中ポンプ３２０の送出口に連結させる。受入側流路３３０のタンク側開放端（出口とする）は、上記タンク３１０内に垂らしておく。もちろん、上記送出側流路３４０の入口開放端には噴水を生じさせるための小孔が形成されたノズル３４２を連結させることになる。上記のように、タンク３１０内に配置された水中ポンプ３２０に連結された送出側流路３４０及び、当該タンク３１０へ水を戻すための受入側流路３３０を設けることで、噴水循環機構３００が構成される。
【００４７】
上記のように構成された噴水循環機構３００を床シート１２４下方に配置する。なお、水漏れを防止するために、積層した２枚の透明シートに形成された気密空間内に上記噴水循環機構３００を配置した。本実施例では図８（Ｂ）に示すように、上記噴水循環機構３００を床シート１２４下方に配置した。このとき、上記噴水循環機構３００に備える受入側流路３３０を上記床シート１２４の中央付近に配置する。すなわち、上記床シート１２４の中央付近に孔を形成し、当該孔部に上記受入側流路３３０を挿入することになる。従って、床シート１２４中央に溜まった水が上記受入側流路３３０を介してタンク３１０内に戻ることになる。更に、上記床シート１２４内の噴水を生じさせたい位置に、上記送出側流路３４０及び、ノズル３４２を配置する。従って、タンク３１０内の水が上記送出側流路３４０のノズル３４２から床シート１２４内に噴き出すことで噴水が生じることになる。上記送出側流路３４０及び、受入側流路３３０を床シート１２４に配置することで、本発明の遊戯装置用床機構１００が構成される。
【００４８】
もちろん床シート支持部材１２２の中央付近には液体出入孔を開けることになる。上記床シート支持部材上１２２には床シート１２４が配置され、上記実施の形態１で使用した枠体１２０に備えたブロア１２６から送出された空気が、当該床シート１２４に送出される。従って、上記水中ポンプ３２０から送出される液体が、上記床シート１２４内に送出され、床シート１２４内で噴水が発生する。
【００４９】
上記床シート１２４中央付近にも上記水中ポンプ３２０からの液体を受け入れるための出入孔が形成される。上記床シート１２４は２枚のシートを袋状に張り合わせた袋状床シートでも構わない。更に、図９に示すように、上記床シート支持部材１２２を中央に向かって下り傾斜になるように構成すると、床シート１２４内に送出された液体が、床シート１２４中央に集まり、床シート１２４に設けた出入孔から上記タンク３１０に戻り易くなる。なお、タンク３１０内に貯蔵する液体に色を付けても構わない。
【００５０】
（実施の形態５）
実施の形態１では、床シート支持部材１２２に固定部材若しくは、壁部１２９を配置し、当該壁部１２９等と床シート１２４により形成された空間に空気を送入する構成を採用した。更に、上記床シート１２４を袋状に張り合わせ、当該袋状床シート１２４内部に空間を形成する構成を採用した。本実施例では、床シート１２４下方に風船３５６、ボール若しくはシャボン玉発生器３５０を配置し、上記風船３５６、ボール若しくはシャボン玉３５８を撹拌させる構成について、図１０を参照して説明する。風船３５６、ボール若しくはシャボン玉発生器３５０を配置する以外の構成は実施の形態１及び２と同じ構成であるので、図示説明を省略する。
【００５１】
図１０（Ａ）に示すように、実施の形態１と同じように形成した矩形枠体１２０の側面を側面部材１２１で気密に固定する。更に、上記矩形枠体１２０の上部は床シートにより被覆されることで、上記矩形枠体１２０、側面部材１２１、床シート１２４により気密空間が形成される。なお、床シート１２４を支持する床シート支持部材として、メッシュを使用した。
【００５２】
上記のように形成した気密空間に、外部から空気を送出し、上記気密空間内に空気を充填させる。本実施例では、ブロア１２６等の空気送出手段を用いて、上記気密空間に空気を送出させた。上記のように、ブロア１２６により空気を送出し上記床シート１２４が膨張したとき、上記気密空間内の状態は、上記ブロア１２６による空気流がほとんどなく、無風状態に近くなる。従って、上記気密空間内に空気流を発生させれば、風船３５６ボール、シャボン玉３５８等の循環体を簡単に循環させることが出来る。
【００５３】
例えば、循環体が風船３５６の場合には、床面上（気密空間の底面に敷いた底面部材上でもよい。）に大小様々な多数の風船３５６を配置する。そして、上記矩形枠体１２０を上面視したとき、一の隅から隣の隅に空気流が生じるような位置に、扇風機等の送風機３５５を配置する。上記ブロア１２６からの空気流が床シート１２４に充満し、当該床シート１２４が膨張すると、上記送風機３５５からの空気流により、床面上に配置した上記多数の風船３５６が旋回乱舞することになる。循環体がボールの場合であっても、上記の構成が採用できる。
【００５４】
例えば、循環体がシャボン玉３５８の場合には、上記床面上（気密空間の底面に敷いた底面部材上でもよい。）にシャボン玉発生器３５０を配置する。本実施例では、以下に示すようなシャボン玉発生器３５０を使用した。すなわち、シャボン玉液を貯蔵するためのシャボン玉液タンク３５３を用意する。任意の形状の網体３５１（希望の大きさのシャボン玉を形成可能な大きさの網を使用すればよい。）を上記シャボン玉液タンク３５３内のシャボン玉液に浸る程度の高さで回転可能に保持する。本実施例では、円形の網体３５１を用意し、上記網体３５１平面に直交する軸を当該網体３５１中心に設ける。すなわち、上記軸中心に上記網体３５１が回転するように軸を設ける。上記シャボン玉液タンク３５３上部に上記軸が回転可能に保持され、モータ等の駆動手段３５７により、上記軸が回転するように構成する。すなわち、上記駆動手段３５７により軸が回転することにより、シャボン玉液タンク３５３内の網体３５１が回転し、当該網体３５１がシャボン玉液タンク３５３内のシャボン玉液に浸るように構成する。更に、上記網体３５１平面に対して送風されるような位置に扇風機等の送風機３５５を配置することで、本発明のシャボン玉発生器３５０が構成される。
【００５５】
上記のように構成したシャボン玉発生器３５０を上記気密空間床面に配置する。上記矩形枠体１２０を上面視したとき、一の隅から隣隅に、シャボン玉発生器３５０に備えた送風機３５５から生じる空気流が生じるような位置に、上記送風機を配置することになる。上記の構成を備えることで、本実施例の遊戯装置用床機構１００が構成される。
（実施の形態６）
実施の形態１では、床シート支持部材１２２に固定部材若しくは、壁部１２９を配置し、当該壁部１２９等と床シートにより形成された空間に空気を送入する構成を採用した。更に、上記床シート１２４を袋状に張り合わせ、当該袋状床シート１２４内部に空間を形成する構成を採用した。本実施例では、水等の液体を注入した床シート１２４を使用する遊戯装置用床機構１００の構成について、図１１を参照して説明する。床シート１２４内に液体を注入する以外の構成は実施の形態１及び２と同じであるので、図示説明を省略する。
【００５６】
床シート１２４として、図１１（Ａ）、図１１（Ｂ）に示す水袋１２４aを備えた床シート１２４を形成する。すなわち、円筒状に形成した透明シートに底面を設けて水袋１２４ａを形成する。上記のように形成した水袋１２４ａの開口部分を平面シートの中央に溶着することで、図１１（Ａ）、図１１（Ｂ）に示すように、水等の液体を液密に閉じ込めることが可能な空間を備えた床シート１２４が形成される。上記水袋１２４ａの形状は内部に液体を閉じ込めることが可能であれば任意であり、円筒状の他、図１１（Ｃ）に示すような箱型水袋１２４ｂ、更に、上面視多角形状であっても構わない。もちろん、上記水袋１２４ａには水袋内部に液体を注入するための開口若しくは、開閉弁１２５を備えることが望ましい。
【００５７】
上記のように構成した水袋付床シート１２４を上記枠体１２０上に配置する。そして、上記水袋付床シート１２４に備えた水袋１２４ａ内に、水等の液体を充填する。上記水袋１２４ａに液体を充填するのは、水袋１２４ａ周縁のラインを鮮明にさせ、床シート表面に凹凸をつけるために、水袋１２４ａに重量を与えるためである。上記液体の成分や充填方法は任意である。例えば、図１１（Ｄ）に示すように、水等の液体を充満してもよいし、図１１（Ｅ）に示すように、上記液体を半分程度充填した後に、空気を送入し、上記水袋１２４ａを水及び空気で充満させてもよい。液体に色付けしてもよい。図１１（Ｆ）に示すように、枠体１２０に上記床シート１２４が配置されたとき、液体を充満した水袋１２４ａが床シート１２４から垂下されるように上記水袋１２４ａの高さを調節しても構わない。
【００５８】
上記のように、水袋１２４ａを充満させると、ブロア１２６により上記水袋付床シート１２４に空気を送入する。床シート１２４の内、水袋１２４ａ部分は液体若しくは空気により膨張しており、床シート１２４の上記水袋１２４ａ以外の部分が、上記ブロア１２６により膨張することになる。したがって、上記構成の床シート１２４を膨張させることで、上記床シート１２４表面に凹凸（山部分と谷部分）を形成することが出来る。
【００５９】
上記水袋１２４ａは、液体を充填する部分と、空気を充填する部分に区別して形成してもよい。例えば、図１１（Ｇ）に示すように、球状の水袋１２４ａと、上記球状水袋１２４ａ上部に連接する、当該球状水袋１２４ａを垂下する空気袋１２４ｂとを備える構成を採用してもよい。上記のように構成することで、球状水袋１２４ａに着色液体を充填し、空気袋に空気を充填することで、床シート表面に凹凸が形成される。さらに、床シートに乗って遊戯するユーザが上記球状水袋を視認することで、水袋が浮いているような感覚を感じさせることが可能となる。
【００６０】
図１１（Ｈ）、（Ｉ）に示すように、円環形状の水袋１２４ａと、上記円環形状の水袋１２４ａ上部に連接する、当該円環形状の水袋１２４ａを垂下する空気袋１２４ｂとを備える構成を採用してもよい。上記のように構成することで、円環形状の水袋１２４ａに着色液体を充填し、空気袋に空気を充填することで、床シート表面に凹凸が形成される。さらに、床シートに乗って遊戯するユーザが上記円環形状の水袋を視認することで、水袋が浮いているような感覚を感じさせることが可能となる。
【００６１】
図１１（Ｊ）に示すように、上記水袋１２４ａは床シート１２４に複数設けることが可能であり、上記のような複数の水袋を設けることで、床シート１２４上に複数の凸凹が形成されることになる。
【００６２】
（実施の形態７）
実施の形態１では、床シート支持部材１２２に固定部材若しくは、壁部１２９を配置し、当該壁部１２９等と床シートにより形成された空間に空気を送入する構成を採用した。更に、上記床シート１２４を袋状に張り合わせ、当該袋状床シート１２４内部に空間を形成する構成を採用した。本実施例では、映写機により、上記床シート内に映像を投影することが可能な遊戯装置用床機構１００の構成について、図１２を参照して説明する。床シート１２４内に映像を投影する以外の構成は実施の形態１及び２と同じであるので、図示説明を省略する。
【００６３】
実施の形態１で形成した遊戯装置用床機構１００に備えた床シート１２４下方に映像投影用スクリーン３６４を設ける。上記スクリーン３６４は、スクリーン３６４背面に映像を投射し前面（すなわち床シート１２４上方）から当該映像を視認するように構成される。そのため、上記スクリーン３６４を半透明とすることで、スクリーン３６４裏側から投影された映像が、スクリーン３６４前面から視認可能となる。
【００６４】
上記スクリーンに映像を投影する映写装置が上記スクリーン３６４裏側の床面に設置される。例えば、図１０に示すように、本実施例ではプロジェクタ３６０（画像や映像を大型スクリーンなどに投影することにより表示する装置をいう。）及び、鏡体３６２を備えた映写装置を床シート下方に設置する。プロジェクタ３６０から投影された映像が上記鏡体３６２に反射され、上記映像投影用スクリーン３６４上に投影するように、上記プロジェクタ３６０及び鏡体３６２の位置を調節することになる。上記床シート１２４下部に上記スクリーン３６４及び、上記映写装置を備えることで、本実施例の遊戯装置用床機構が構成される。なお、コントラストを上げる為に裏側空間（上記床シート１２４、枠体１２０及び、側面部材で形成した気密空間の内、上記映像投影用スクリーン３６４、枠体１２０及び、側面部材で形成される空間をいう。）を暗所にする構成を採用しても構わない。
【００６５】
（実施の形態８）
実施の形態１では、床シート支持部材１２２に固定部材若しくは、壁部１２９を配置し、当該壁部１２９等と床シートにより形成された空間に空気を送入する構成を採用した。更に、上記床シート１２４を袋状に張り合わせ、当該袋状床シート１２４内部に空間を形成する構成を採用した。本実施例では、上記床シート１２４を２段にし、上段側床シート１２４の下方に下段側床シートを配置する遊戯装置用床機構１００の構成について、図１３から図１５を参照して説明する。床シート１２４を２段にする以外の構成は実施の形態１及び２と同じであるので、図示説明を省略する。
【００６６】
本実施例の遊戯装置用床機構は２段の床シート１２４を備える。例えば、図１３に示すように、本実施例の枠体１２０には、連結部材を２段設ける。下側に配置された連結部材を下段側連結部材１２０ｂ２と称し、上側に配置された連結部材を上段側連結部材１２０ｂ１と称する。そして、下段側連結部材１２０ｂ２には、下段側床シート１２４を配置し、上段側連結部材１２０ｂ１には上段側床シート１２４を配置することになる。更に、上記枠体１２０に側面部材を設けることにより、上記下段側床シート１２４、枠体１２０及び、側面部材で形成された下段側気密空間が形成される。そして、上記上段側床シート１２４、枠体１２０、側面部材及び、上記下段側床シート１２４で上段側気密空間が形成される。
【００６７】
さらに、上記上段側気密空間及び、上記下段側気密空間に空気を送入するためのブロア１２６が設けられる。上記ブロア１２６の空気送入口を枝分かれさせて、当該空気送入口の一方端が上記上段側気密空間へ空気を送入可能に構成し、上記空気送入口の他端が上記下段側気密空間へ空気を送入可能に構成することができる。このように構成することで、一のブロア１２６により、上記上段側及び下段側気密空間に空気を挿入することが可能となる。
【００６８】
図１４に示すような２段床シート１５４を形成してもよい。例えば上記箱状床シート１４４を上下に２枚積層し、当該複数の箱状床シート１４４同士を筒状シートにより連結することで、上記２段床シート１５４が形成される。すなわち、帯状シートを筒状に形成した筒状シートの上端及び、下端に、上下に２段にした箱状床シート１４４のそれぞれを溶着する。上記２段床シート１５４を上記枠体の連結部材１２０ｂに配置し、当該２段床シート１５４、側面部材で構成される気密空間にブロア１２６により空気を送入することで、遊戯装置用床機構１００が構成される。若しくは、上記気密空間内の空気をブロア１２６により吸引することで、遊戯装置用床機構１００が構成される。気密空間内の空気をブロア１２６により吸引することで２段床シート１５４上部に凹部が形成される。上記凹部にボール等を収容させる構成を採用しても構わない。図１５に示すように、上記２段床シート１５４にネット等の落下防止シート１６０を張る構成を採用しても構わない。
【００６９】
（実施の形態９）
図１６に示す段差型床シート１６４を形成することもできる。床シートを段差型にする以外の構成は実施の形態１及び２と同じであるので、図示説明を省略する。まず、帯状シートを屈曲させて側面視Ｕ字状シートを一対形成する。すなわち、２枚の側面シート同士１６４ａが上面シート１６４ｂで連結されたＵ字状シートを形成する。そして、上記Ｕ字状シートの一方面をシートで塞ぎ、上面シート１６４ｂ及び２枚の側面シート１６４ａに隣接する面（以下隣接面１６４ｃと称する）を形成する。上記一対のＵ字状シートそれぞれに、上記隣接面１６４ｃを形成する。次に、上記一対のＵ字状シートの両端（側面視Ｕ字状の両端をいう）を下にし、上記それぞれのＵ字状シートの隣接面１６４ｃ同士を対向させる。そして、上記隣接面１６４ｃの下端同士を底面シート１６４ｄにより連結させることで、段差型床シート１６４が形成される。なお、上記一対のＵ字状シートに空いた２面の内、上面シート１６４ｂ及び２枚の側面シート１６４ａに隣接する面を更にシートで塞ぐ構成を採用してもよい。すなわち、一方面が開口された箱状シートを一対形成し、当該開口面を下にした状態で、それぞれの対向する面の下端同士を底面シートで連結させることになる。
【００７０】
上記のように形成した段差型床シート１６４を下記構成の枠体１２０に気密状態で配置することになる。すなわち、上面視矩形状になるように、複数の支柱１２０ａを床面１１０上に立設する。そして、上記複数の支柱１２０ａ同士を連結部材１２０ｂにより連結することになる。このとき、図１６（Ｃ）に示すように、上記連結部材１２０ｂを上段及び下段に設ける。そして、上記段差型床シート１６４の２つの上面シート１６４ｂを上段の連結部材１２０ｂ１に固定し、上記段差型床シート１６４の底面シート１６４ｄを下段の連結部材１２０ｂ２に固定する。側面シート１６４ａを下段若しくは上段の連結部材１２０ｂに固定しても構わない。上記のように、段差型床シート１６４を上下段の連結部材１２０ｂ１．１２０ｂ２を備えた枠体１２０に配置し、気密空間を形成することになる。上記段差型床シート１６４に空気を送入若しくは吸引することで床シート１６４に凹凸を形成することが可能となる。図１６（Ｅ）、図１６（Ｆ）に示すように上記底面シート１６４ｄ中央部分を床板に固定することで、更に凹凸を形成することもできる。
【００７１】
（実施の形態１０）
上記のように構成した遊戯装置用床機構１００を備えた遊戯装置を構成することも可能である。例えば、図１７に示す滑り台型遊戯装置（以下滑り台）３９０を構成できる。上記枠体１２０の支柱１２０ａ間同士を傾斜連結部材１２０ｃにより斜めに連結することで傾斜枠体を形成する。そして、上記連結部材１２０ｃに上記水平床シート１２４若しくは上記箱状床シート１４４を配置し、枠体側面に設置した側面部材及び、上記床シート１２４で形成する気密空間にブロア１２６等の空気送出手段により空気を送出することで、滑り台３９０が構成できる。上記滑り台３９０に凹凸を形成することもできる。引張棒１８０を収容可能な複数の筒状シート１７４ａを所定間隔あけて床シート１２４の裏面に溶着させることで、滑り台用床シート１７４を形成する。そして、上記傾斜枠体の連結部材１２０ｃに板部材を配置し、上記筒状シート１７４ａに収容された引張棒１８０を固定可能な固定具１８３を上記板部材１８２に固定する。上記のように構成することで、本実施例の遊戯装置用床機構１００を備えた遊戯装置が形成される。上記床シート１２４の内、引張棒１８０で引っ張られた部分が凹部となり、その他の部分が凸部となる。ユーザは、上記凹部を滑り降りることが可能となる。
【００７２】
本実施例では、図１７（Ｄ）に示す斜線部分が気密空間となる。滑り台３９０本体及び、上記滑り台を固定する傾斜枠体内に気密空間を形成する。上記傾斜枠体内に形成した気密空間内に水循環機構やボール循環機構を配置することができる。例えば、図１８（Ａ）には水循環機構を上記傾斜枠体に備えた滑り台３９０を示している。すなわち、上記傾斜枠体下部に配置された上記水循環機構は、水がはられる浴槽１９０と、噴射口を備えた水中ポンプ１９１を備える。水中ポンプ１９１の噴射口から当該浴槽１９０内の水が滑り台３９０の傾斜部分に噴射し、噴射された水は再度浴槽１９０内に戻ることになる。図１８（Ｂ）はボール循環機構を備えた滑り台３９０を示している。すなわち、上記傾斜枠体下部に配置された上記ボール循環機構は、滑り台傾斜部分に配置されたボールと、上記ボールを循環させるためのブロア１２６を備える。滑り台傾斜部分にボールを配置することにより、ブロア１２６等の循環装置で循環させられたボールが傾斜を上昇した後、すべり降りるということを繰り返すことになる。滑り台３９０に空気を送入するブロア１２６とは別のブロアを用いて、ボールを循環させることになる。上記滑り台３９０に上記床シートを備えた遊戯装置用床機構１００を組み合わせることもできる。図１９には滑り台３９０と遊戯装置用床機構を組み合わせた図を示す。斜線部分が気密空間部分となる。
【００７３】
上記遊戯装置の別の形態として、例えば、上記床シート１２４をシーソ状に構成したシーソ型遊戯装置（以下シーソ）４００について図２０を参照して説明する。床シート１２４をシーソ状にする構成以外の構成については実施の形態１と同じであるので、図示説明を省略する。
駆動モータにより回転可能な歯車４３０にクランク４２０を設け、上記歯車４３０が回転することで、クランク４２０を上下移動可能なように構成する。一方、軸受等により回転可能な軸及び、長方形状の床板４１０を形成する。そして、当該床板４１０の長手方向略中央に上記軸を接合する。このとき、上記軸を床板４１０の短手方向に平行な方向にした状態で、上記床板４１０に接合する。上記構成を備えた床板４１０の他端に、上記クランク４２０の他端（上記歯車に設けられた側とは反対側をいう）を固定することで、床板４１０がシーソ状に構成される。クランク４２０の上下動により、上記軸が一定角度正逆に回転可能なように、当該軸を床板４１０に接合することが可能であれば、上記シーソ状床板４１０の形状は問わない。例えば、正方形状や、三角形状、円形状、楕円形状であっても構わない。
【００７４】
上記のように構成されたシーソ状床板４１０に、本発明の床シート１２４を接合することになる。すなわち、上記床板４１０周縁に実施の形態１で使用した床シート１２４を接合する。若しくは、上記床板４１０の表面（上記軸を接合した面とは反対面をいう）に、同じく実施の形態１で使用した床シート１２４を張り付ける構成を採用してもよい。このように構成することで、駆動モータの回転により、クランク４２０が上下動し、床板４１０が上記軸を中心として上下動することになる。更に、床板４１０が上下動することで、床シート１２４が上下に変位する。もちろん、上記床シート１２４はブロア１２６等により空気が挿入されることで、膨らむことになる。したがって、ブロア１２６によって膨らまされた状態で、上下に変位する遊戯装置用床機構１００を使用した遊戯装置（シーソ４００）が構成できる。
【００７５】
もちろん、上記駆動モータを使用せず、軸受等により回転可能な軸及び、長方形状の床板４１０を形成し、当該床板４１０の長手方向略中央に上記軸を接合することでシーソを形成してもよい。このとき、上記軸を床板の短手方向に平行な方向にした状態で、上記床板４１０に接合する。上記のように構成されたシーソ状床板４１０に、本発明の床シート１２４を接合することになる。すなわち、上記床板４１０周縁に実施の形態１で使用した床シート１２４を接合する。若しくは、上記床板４１０の表面（上記軸を接合した面とは反対面をいう）に、同じく実施の形態１で使用した床シート１２４を張り付ける構成を採用してもよい。このように構成することで、上記シーソ上のユーザの動きにより、床板４１０が上記軸を中心として上下動することになる。
【００７６】
（実施の形態１１）
次に、本発明の遊戯装置用床機構１００で使用する弾性シート（例えば、床シート１２６）の内壁にフック（例えば、壁体に備えたフックや、弾性シートに設ける固定具をいう。）を形成するコネクタ５００を説明する。遊戯装置用床機構１００の枠体構成については実施の形態１と同じであるので、図示説明を省略する。図２１は、本発明の遊戯装置用床機構１００で使用する弾性シートにフック５１６を形成するための説明図である。ただし、本発明に直接には関係しない各部の詳細は省略している。
【００７７】
フック５１６を備えた上部コネクタ５１０と、上記上部コネクタ５１０に嵌合可能な下部コネクタ５１２を形成する。例えば、矩形状のメス型コネクタに、フック５１６を垂下した紐状部材５１４を固定することで上部コネクタ５１０とする。そして、上記メス型コネクタに嵌合するオス型コネクタを形成し、下部コネクタ５１２とする。このとき、上記オス型コネクタを一対形成し、メス型コネクタに固定された紐状部材５１４を上記一対のオス型コネクタ間に挟み込んだ状態で上部コネクタ５１０及び、下部コネクタ５１２が嵌合するように、上記下部コネクタ５１２の大きさを調節することになる。上記のように構成することで、コネクタ５００が構成される。もちろん、上部コネクタ５１０にオス型を用い、下部コネクタ５１２にメス型を用いても構わない。
【００７８】
上記のように構成した各コネクタを弾性シートに嵌合させることで、弾性シートにフック５１６を形成することができる。上記弾性シートにフック５１６を形成させたい個所に、上記フック５１６が貫通可能な大きさのスリットを形成する。そして、上記スリットに上記フック５１６を貫通させ、上部コネクタ５１０を弾性シートに接触させる。すなわち、上記上部コネクタ５１０の紐状部材５１４が上記スリットに挿入した状態で上部コネクタ５１０が弾性シートに接触することになる。そして、上記上部コネクタ５１０に、一対の下部コネクタ５１２を嵌合させることになる。このとき、上記一対の下部コネクタ５１２間に上記紐状部材５１４を挟み込んだ状態で、上部コネクタ５１０、下部コネクタ５１２を互いに嵌合させることで、弾性シートにフック５１６が形成される。
【００７９】
更に、上記遊戯装置用床機構１００に送入される空気が漏れることを防ぐ空気漏れ防止弁６１０を備えてもよい。図２２を参照して本実施の形態で使用される空気漏れ防止弁６１０を説明する。まず、底を有する筒状体６１１（筒状体の一方の開口を塞いだ形状をいう）を形成する。上記筒状体６１１の内径は空気流路の外径よりひと回り大きいように形成する。そして、上記筒状体６１１の内径と同じ外径を有するボール６１２を空気流路６００の端部（すなわち、本発明の遊戯装置用床機構１００内部に挿入された空気流路６００の端部をいう）に、配置する。更に、上記ボール６１２が配置された空気流路６００端部上に、上記筒状体６１１の開口端部を挿入固定する。このとき、上記ボール６１２が上下に移動可能だけの隙間をあけて上記筒状体６１１が空気流路６００上に固定されることで、空気漏れ防止弁６１０が構成される。上記のように構成することで、空気が送入されない場合には、上記ボール６１２が上記空気流路上に配置されることになる。
【００８０】
遊戯装置用床機構１００に、空気が送入されると、ボール６１２を上昇させる向きに空気が流れるので、空気漏れ防止弁６１０のボール６１２が上方に移動し、上記空気流路６００端部とボール６１２との間に隙間ができる。当該隙間から空気流路６００を介した空気が送入されることになる。一方、ユーザが上記遊戯装置用床機構１００に対して遊戯をすることにより、空気が外部に漏れると、ボール６１２を下降させる向きに空気が流れるので、空気漏れ防止弁６１０のボール６１２が下方に移動し、上記空気流路６００端部とボール６１２間の隙間を塞ぐ。従って、空気がそれ以上漏れることを防ぐ。なお、上記の他、所定の圧力以上になると空気を外部に送出し、遊戯装置用床機構１００内の空気の圧力を一定にしながら、空気の漏れを防ぐ圧力調整弁を上記空気流路６００端部に設けても構わない。
【００８１】
（実施の形態１２）
以下に本発明の遊戯装置用床機構１００を使用した遊戯装置の実施例を図２３、図２４、図２５、図２６を参照して説明する。上記各図はいずれも、本発明の遊戯装置用床機構を使用した遊戯装置の具体例である。
【００８２】
図２３は、本発明の遊戯装置用床機構１００を階段状に並べた遊戯装置７００である。上段と下段間をユーザが移動することが可能となる。もちろん上記階段状遊戯装置７００の外壁として網体を張り、ユーザが落下することを防止している。
図２４は、本発明の遊戯装置用床機構１００にシャボン玉機構を備えた遊戯装置７００である。そして、図２４（Ａ）は、気密空間にシャボン玉を飛ばすように構成された遊戯装置７００である。図２４（Ｂ）は、気密空間に泡状のシャボン玉を流動させるように構成された遊戯装置７００である。なお、床シート１２４を強調させるために、枠体の一部を省略して記載している。
【００８３】
図２５（Ａ）は、本発明の遊戯装置用床機構１００にボールを飛ばす機構（ボール循環機構２００）を備えた遊戯装置８００である。図２５（Ｂ）は、本発明の遊戯装置用床機構１００の気密空間内にジェル状流体（手にべとつかない程度の適度な粘性と冷たく湿った触感を備えた流体）充填した遊戯装置８５０である。
図２６は、本発明の遊戯装置用床機構１００の床シート中央に膨らみを持たせた遊戯装置である９００。中央部の空間に水等を配置したのが、図２６（Ａ）である。中央部の空間に配置した浴槽内に複数の透明筒体を立設し、浴槽内壁に鏡等の装飾を施した図が、図２６（Ｂ）である。なお、床シートを強調させるために、枠体の一部を省略して記載している。
【産業上の利用可能性】
【００８４】
本発明は、枠体と床シート体と、空気吸引送出手段とを備える遊戯装置用床機構である。上記枠体は、床面上に立設された複数の支柱と、隣接する複数の支柱同士を連結する連結部材とを備える。床シート体は、枠体の連結部材に気密状態で配置され、空気吸引送出手段が、枠体に備えた側面部材及び、床シート体により形成される気密空間に空気を送出若しくは吸引する。そして、床シート体が、枠体に固定手段により固定されることで気密空間を形成することを特徴とする。【００８５】
上記の構成であれば、空気送出手段により空気が送出されることで、上記床シート体が膨らむ。ユーザが上記床シート体上をジャンプ等することで、床シートが上下に変位することになる。上記のように床が上下に変動することで、ユーザの興味を長く持続することが可能な遊戯装置用床機構を構成することが可能となる。
【符号の説明】
【００８６】
１００    遊戯装置用床機構
１１０    床面
１２０    枠体
１２０ａ  支柱
１２０ｂ  連結部材
１２２    床シート支持部材
１２２a ネット部材
１２４    床シート
１２４ａ  水袋
１２６    ブロア
１２８    固定部材
１２９    壁部
２００    ボール循環機構
２２０    空気送出側流路
２３０    ボール受入側流路
２４０    ボール送出側流路
３００    噴水循環機構
３１０    タンク
【図１】
2013069219.tif 000003
【図２】
2013069219.tif 000004
【図３】
2013069219.tif 000005
【図４】
2013069219.tif 000006
【図５】
2013069219.tif 000007
【図６】
2013069219.tif 000008
【図７】
2013069219.tif 000009
【図８】
2013069219.tif 000010
【図９】
2013069219.tif 000011
【図１０】
2013069219.tif 000012
【図１１】
2013069219.tif 000013
【図１２】
2013069219.tif 000014
【図１３】
2013069219.tif 000015
【図１４】
2013069219.tif 000016
【図１５】
2013069219.tif 000017
【図１６】
2013069219.tif 000018
【図１７】
2013069219.tif 000019
【図１８】
2013069219.tif 000020
【図１９】
2013069219.tif 000021
【図２０】
2013069219.tif 000022
【図２１】
2013069219.tif 000023
【図２２】
2013069219.tif 000024
【図２３】
2013069219.tif 000025
【図２４】
2013069219.tif 000026
【図２５】
2013069219.tif 000027
【図２６】
2013069219.tif 000028
【国際調査報告】
2013069219.tif 000029
2013069219.tif 000030
2013069219.tif 000031
2013069219.tif 000032